(57)【要約】【課題】搬送用のローラ対に挟まった状態の小切手を簡単に取り除くことのできる機構を備えた小切手処理装置を提案すること。【解決手段】小切手処理装置１の小切手搬送路６は開閉カバー３、４を開けると開放状態になり、小切手搬送路６の磁気ヘッド８４の手前に配置されている第３ローラ対５３および小切手送り出し通路７に配置されている分離ローラ４４およびリタードローラ４５は開放状態にならない。これらを付勢しているローラ付勢機構６０、７０は開閉カバー３を開けると付勢解除状態に切り替わるので、これらの間に詰まった状態で残っている小切手５を簡単に取り出すことができる。開閉カバー３を閉じると再び付勢状態に復帰する。【選択図】図２
2008207927.tif 000002
【特許請求の範囲】
【請求項１】
装置本体と、
この装置本体に開閉可能に取り付けた開閉カバーと、
シート状媒体の搬送路と、
この搬送路に沿ってシート状媒体を搬送するもので、前記装置本体に配置した送りローラおよび押えローラと、
前記開閉カバーを閉じると前記押えローラを前記送りローラに付勢した付勢状態が形成され、当該開閉カバーを開くと当該付勢状態が解除されるローラ付勢機構とを有していることを特徴とする媒体搬送装置。
【請求項２】
前記ローラ付勢機構は、
スライド式のばね受けと、
このばね受けと前記押えローラのローラ軸との間に配置されたコイルばねと、
前記開閉カバーに取り付けた突起とを備えており、
前記開閉カバーを閉じると、前記突起により前記ばね受けが前記押えローラの側に押し込まれて前記コイルばねが圧縮状態に保持されることを特徴とする請求項１に記載の媒体搬送装置。
【請求項３】
前記ローラ付勢機構は、
旋回式のレバーと、
このレバーの一端と前記押えローラのローラ軸との間に架け渡したコイルばねと、
前記開閉カバーに取り付けたレバー係合部とを備えており、
前記開閉カバーを閉じると、前記レバー係合部により前記レバーが旋回して前記コイルばねが引張り状態に保持されることを特徴とする請求項１に記載の媒体搬送装置。
【請求項４】
前記搬送路には、前記装置本体に形成されている第１搬送路部分と、前記装置本体および前記開閉カバーの間に形成され、当該開閉カバーを開くと開放状態になる第２搬送路部分とが含まれており、
前記送りローラおよび前記押えローラには、前記第１搬送路部分に配置されている第１送りローラおよび第１押えローラと、前記第２搬送路部分に配置されている第２送りローラおよび第２押えローラとが含まれており、
前記ローラ付勢機構として、前記第１押えローラを前記第１送りローラに付勢するための第１ローラ付勢機構と、前記第２押えローラを前記第２送りローラに付勢するための第２ローラ付勢機構とが配置されていることを特徴とする請求項１ないし３のうちのいずれかの項に記載の媒体搬送装置。
【請求項５】
請求項４に記載の媒体搬送装置と、
当該媒体搬送装置の前記第２搬送路部分に沿って搬送されるシート状媒体に担持されている情報を読み取るための情報読取手段とを有していることを特徴とする媒体処理装置。
【請求項６】
前記情報読取手段は、シート状媒体に担持されている磁気情報を読み取るための磁気ヘッドであることを特徴とする請求項５に記載の媒体処理装置。
【請求項７】
前記情報読取手段は、シート状媒体に担持されている画像情報を読み取るための画像読取装置であることを特徴とする請求項５に記載の媒体処理装置。
【請求項８】
前記情報読取手段による読取対象のシート状媒体を前記搬送路に供給するための媒体供給部を有し、
前記第１搬送路部分は、当該媒体供給部から送り出されるシート状媒体を前記第２搬送路部分に引き渡す搬送路部分であり、
前記第１送りローラおよび前記第１押えローラは、当該第１搬送路部分を搬送されるシート状媒体を分離して搬送するための送りローラおよびリタードローラであることを特徴とする請求項５ないし７のいずれかの項に記載の媒体処理装置。
【発明の詳細な説明】
【技術分野】
【０００１】
本発明は、送りローラおよび押えローラからなるローラ対によって搬送路に沿ってシート状媒体を搬送する媒体搬送装置に関し、シート状媒体が搬送路に詰まった場合の回復作業を簡単に行うことができるようにした媒体搬送装置に関する。
【背景技術】
【０００２】
小切手類、記録用紙などのシート状媒体を搬送するための媒体搬送装置は、一般に、搬送路に沿って、送りローラおよび押えローラからなるローラ対を配置し、シート状媒体を各ローラ対に順次に引き渡しながら搬送する構造のものが用いられている。例えば、特許文献１、２に開示されているように、小切手類の読取処理を行う小切手処理装置に、このような媒体搬送装置が用いられている。
【０００３】
これらの特許文献に開示の小切手処理装置では、搬送路に沿ってイメージスキャナおよび磁気ヘッドが配置されており、搬送路に沿って搬送される小切手類の画像および磁気インク文字が読み取られ、読み取り結果に応じて小切手類の仕分けが行われるようになっている。
【特許文献１】米国特許出願公開第２００４／０２５７６２６号公報
【特許文献２】特開２００４−２０６３６２号公報
【発明の開示】
【発明が解決しようとする課題】
【０００４】
ここで、搬送路内にシート状媒体が詰まった場合には搬送路からシート状媒体を取り除く作業が必要になる。この作業を簡単に行うことができるようにするためには、装置本体に開閉カバー取り付け、これらの間に搬送路を形成しておき、シート状媒体が詰まった場合には開閉カバーを開けることにより搬送路を開放状態にすればよい。
【０００５】
搬送路に詰まっているシート状媒体は通常、搬送路に沿って配置されている送りローラと、ここに押し付けられている押えローラの間に挟まった状態にある。このため、搬送路に詰まったシート状媒体を簡単に取り除くことができない。この問題点を解消するためには、開閉カバーの側に一方のローラを取り付けておけば、搬送路を完全に開放でき、ローラ対の間に挟まっていたシート状媒体を簡単に取り除くことが可能である。
【０００６】
しかしながら、このようにすると、装置本体側に配置されているローラと、開閉カバー側に配置されているローラとを精度良く位置決めすることが困難になる。すなわち、開閉カバーの閉じ位置のずれ、開閉カバーに対するローラの組み付け誤差などの各種の要因によってローラの位置にずれが発生しやすい。ローラに位置ずれが生ずると、それらによるシート状媒体の搬送が適切に行われなくなってしまう。例えば、小切手処理装置などにおいては、小切手類を一定の送り速度で磁気ヘッドによる読み取り位置を搬送させる必要があり、磁気ヘッドによる読み取り位置に小切手類を送り込むための送りローラおよび押えローラの相対位置は精度良く規定しておく必要がある。
【０００７】
本発明の課題は、このような点に鑑みて、搬送時の位置ずれの発生を抑制すると共に、ローラ対の間に挟まっているシート状媒体を簡単に取り除くことのできるようにした媒体搬送装置を提案することにある。
【課題を解決するための手段】
【０００８】
上記の課題を解決するために、本発明の媒体搬送装置は、
装置本体と、
この装置本体に開閉可能に取り付けた開閉カバーと、
シート状媒体の搬送路と、
この搬送路に沿ってシート状媒体を搬送するもので、前記装置本体に配置した送りローラおよび押えローラと、
前記開閉カバーを閉じると前記押えローラを前記送りローラに付勢した付勢状態が形成され、当該開閉カバーを開くと当該付勢状態が解除されるローラ付勢機構とを有していることを特徴としている。
【０００９】
本発明では装置本体に送りローラおよび押えローラを配置しており、開閉カバーを開くと、ローラ付勢機構による押えローラの送りローラに対する付勢状態が解除される。したがって、シート状媒体が送りローラおよび押えローラの間に詰まっている場合に、開閉カバーを開けると、シート状媒体はこれらのローラの間に挟まれた状態が解除される。よって、簡単にシート状媒体をこれらのローラの間から引き抜くことができる。
【００１０】
ここで、前記ローラ付勢機構として、スライド式のばね受けと、このばね受けと前記押えローラのローラ軸との間に配置されたコイルばねと、前記開閉カバーに取り付けた突起とを備え、前記開閉カバーを閉じると、前記突起により前記ばね受けが前記押えローラの側に押し込まれて前記コイルばねが圧縮状態に保持される構成のものを採用することができる。
【００１１】
また、前記ローラ付勢機構として、旋回式のレバーと、このレバーの一端と前記押えローラのローラ軸との間に架け渡したコイルばねと、前記開閉カバーに取り付けたレバー係合部とを備え、前記開閉カバーを閉じると、前記レバー係合部により前記レバーが旋回して前記コイルばねが引張り状態に保持される構成のものを採用することができる。
【００１２】
次に、本発明の媒体搬送装置において、前記搬送路に、前記装置本体に形成されている第１搬送路部分と、前記装置本体および前記開閉カバーの間に形成され、当該開閉カバーを開くと開放状態になる第２搬送路部分とが含まれている場合には、前記第１搬送路部分に第１送りローラおよび第１押えローラを配置し、前記第２搬送路部分に第２送りローラおよび第２押えローラを配置し、第１ローラ付勢機構により前記第１押えローラを前記第１送りローラに付勢し、第２ローラ付勢機構により前記第２押えローラを前記第２送りローラに付勢するようにすることができる。
【００１３】
例えば、搬送路に詰まったシート状媒体を指先などで摘むことができない場合には、そのような搬送路の部分を開閉カバーによって開放できるようにしておくことが望ましい。また、搬送路に沿って磁気ヘッド、画像読取装置（イメージスキャナ）などのメンテナンスを必要とする部品が配置されている場合には、これらの部品のメンテナンス作業のなどのために、このような搬送路の部分を開閉カバーによって開放できるようにしておくことが望ましい。
【００１４】
次に、本発明の媒体搬送装置は、小切手類を処理するための小切手処理装置などのように、搬送路に沿って搬送されるシート状媒体に対して所定の処理を施す媒体処理装置に用いることができる。すなわち、本発明の媒体処理装置は、上記構成の媒体搬送装置と、当該媒体搬送装置の前記第２搬送路部分に沿って搬送されるシート状媒体に担持されている情報を読み取るための情報読取手段とを有していることを特徴としている。
【００１５】
ここで、前記情報読取手段が、シート状媒体に担持されている磁気情報または画像情報を読み取るための磁気ヘッドまたは画像読取装置（イメージスキャナ）とすることができる。
【００１６】
また、前記情報読取手段による読取対象のシート状媒体を前記搬送路に供給するための媒体供給部を有し、前記第１搬送路部分は、当該媒体供給部から送り出されるシート状媒体を前記第２搬送路部分に引き渡す搬送路部分とした場合には、前記第１送りローラおよび前記第１押えローラを、当該第１搬送路部分を搬送されるシート状媒体を分離して搬送するための送りローラおよびリタードローラとすることができる。
【発明の効果】
【００１７】
本発明では、シート状媒体を搬送するための送りローラおよび押えローラの一方を開閉カバーに搭載せずに、装置本体側に配置しておくことにより、それらの位置ずれの発生を回避してシート状媒体の搬送を常に適切に行うようにしている。シート状媒体がこれらのローラの間に詰まった場合には、開閉カバーを開けると、それに連動して、ローラ付勢機構による押えローラの付勢状態が解除される。よって、搬送路内に詰まっているシート状媒体は、送りローラおよび押えローラの間に挟まれた状態から開放されるので、簡単にこれらのローラの間から取り出すことができる。したがって、シート状媒体が搬送路に詰まった場合の回復作業を簡単かつ効率良く行うことができる。
【発明を実施するための最良の形態】
【００１８】
以下に、図面を参照して、本発明を適用した小切手処理装置の実施の形態を説明する。
【００１９】
（全体構成）
図１は本実施の形態に係る小切手処理装置の外観斜視図であり、図２はその平面図である。小切手処理装置１は、装置本体側の本体ケース２と、左右の開閉カバー３、４とを備えている。本体ケース２と開閉カバー３、４の間には、小切手５を搬送するための小切手搬送路６（第２搬送路部分）が形成されている。本例の小切手搬送路６は、上から見た場合に略Ｕ字状に湾曲して延びている細幅の垂直溝によって規定されている。小切手搬送路６の小切手搬送方向の上流端は、細幅の垂直溝からなる小切手送り出し通路７（第１搬送路部分）を介して広幅の垂直溝からなる小切手供給部８に繋がっている。小切手搬送路５の下流端は、左右に分岐している細幅の垂直溝からなる左右の分岐通路９および１０を介して、左右の広幅の垂直溝からなる第１および第２小切手排出部１１、１２に繋がっている。
【００２０】
小切手５は、その表面５ａの下端部分に、その長辺方向に磁気インク文字列５Ａが印刷されている。また、表面５ａには、所定の模様の背景に、金額、振出人、番号、サインなどが記載されており、裏面５ｂには裏書き欄などが設けられている。小切手５は、上下方向を揃え、表面５ａがＵ形状の小切手搬送路６の外側を向くように、小切手供給部８に挿入される。
【００２１】
小切手供給部８から小切手送り出し通路７を介して送り出された小切手５は、小切手搬送路６に沿って搬送されながら、その表面５ａに印刷されている磁気インク文字列５Ａ、その表面画像および裏面画像が読み取られる。これらの情報が正常に読み取られた小切手５は、表書き印刷が行われた後に、第１小切手排出部１１に振り分けられて、そこに排出され、読取不能、読取異常などが発生した小切手５については、表書き印刷が行われることなく、第２小切手排出部１２に振り分けられて、そこに排出されるようになっている。
【００２２】
図３は開閉カバー３、４を開いて小切手搬送路６を開放した状態の小切手処理装置１を示す外観斜視図であり、図４はその平面図である。これらの図も参照して説明すると、本体ケース２は、Ｕ字状の小切手搬送路６に沿った輪郭形状の垂直な外周側面部分２１を備えた中央ケース部分２２と、左右の側方ケース部分２３、２４と、中央ケース部分２２および側方ケース部分２４の間に配置されている仕切り用ケース部分２５とを備えている。中央ケース部分２２と側方ケース部分２３の間には小切手供給部８が形成されている。中央ケース部分２２と他方の側方ケース部分２４の間は、仕切り用ケース部分２５によって左右に仕切られて、小切手排出部１１、１２が形成されている。
【００２３】
中央ケース部分２２における左右の側方ケース部分２３、２４から突出している部分の外周側面部分２１は左右から開閉カバー３、４によって覆われている。開閉カバー３は、側方ケース部分２３の側に配置されており、開閉カバー４は側方ケース部分２４の側に配置されている。中央ケース部分２２と開閉カバー３の間に、小切手搬送路６における上流側搬送路部分６ａが形成されており、中央ケース部分２２と開閉カバー４の間に、小切手搬送路６における下流側搬送路部分６ｂが形成されている。
【００２４】
開閉カバー３の先端部３ａと開閉カバー４の先端部４ａは、本体ケース２の側に配置されている垂直な支軸２６を中心として左右に開閉可能な状態で、当該支軸２６に取り付けられている。本例では、支軸２６は、Ｕ字状に湾曲している小切手搬送路６における搬送方向の中間点にほぼ対応する部位に配置されている。
【００２５】
開閉カバー３および開閉カバー４は、それぞれ別個のロック機構によってそれらの閉じ位置にロックされている。開閉カバー３のロック機構は、当該開閉カバー３の後端面３ｂに形成したカバー側係合突起３１と、側方ケース部分２３における後端面３ｂに対峙する端面２３ａに進退可能に取り付けた係合突起３２とを備えている。係合突起３２は不図示のばね力によって突出方向に付勢されている。側方ケース部分２３の外側面部分にはロック解除用のスライドボタン３３が取り付けられている。
【００２６】
スライドボタン３３をばね力に逆らってスライドさせると、係合突起３２がカバー側係合突起３１から外れ、開閉カバー３を支軸２６を中心として側方に開くことができる。開閉カバー３を閉じると、当該開閉カバー３は、その後端面３ｂから突出しているカバー側係合突起３１の角によって係合突起３２を押し込みながら移動する。その閉じ位置まで移動すると、係合突起３２がカバー側係合突起３１に係合し、ロック状態に戻る。他方の開閉カバー４にも同様なロック機構（カバー側係合突起１４１、係合突起１４２）およびロック解除用のスライドボタン１４３が配置されている。
【００２７】
（内部構成）
図５は小切手処理装置１の内部機構を搬送系を中心に示す説明図である。小切手供給部８には、ここから小切手５を小切手送り出し通路７を介して小切手搬送路６に送り出すために、繰り出しローラ４１と、この繰り出しローラに小切手５を押し付けるための押し付け部材４２とが配置されている。また、繰り出しローラ４１によって小切手送り出し通路７に送り出された小切手５を一枚ずつに分離して小切手搬送路６に送り込むために、分離パッド４３と、分離ローラ４４および当該分離ローラ４４に押し付けられているリタードローラ４５とを備えている。繰り出しローラ４１および分離ローラ４４は共通の送り出し用モータ４６によって回転駆動される。
【００２８】
小切手搬送路６には、当該小切手搬送路６に沿って小切手５を搬送するための第１〜第６ローラ対５１〜５６と、これらを回転駆動するための搬送用モータ５７が配置されている。搬送用モータ５７の回転は無端ベルト５８を介して各ローラ対５１〜５６に伝達される。第１〜第６ローラ対５１〜５６は、それぞれ、第１〜第６搬送ローラ５１ａ〜５６ａと、これら第１〜第６搬送ローラ５１ａ〜５６ａに押し付けられて連れ回りする第１〜第６押えローラ５１ｂ〜５６ｂとを備えている。第１〜第４ローラ対５１〜５４は、上流側搬送路部分６ａに沿って配置されており、第５および第６ローラ対５５、５６は下流側搬送路部分６ｂに沿って配置されている。
【００２９】
上流側搬送路部分６ａにおける第１ローラ対５１および第２ローラ対５２の間には磁気インク文字着磁用の磁石８１が配置されており、第２ローラ対５２と第３ローラ対５３の間には、小切手５の表面画像読取用の表面側コンタクトイメージスキャナ８２および裏面画像読取用の裏面側コンタクトイメージスキャナ８３が配置されている。第３ローラ対５３と第４ローラ対５４の間には磁気インク文字読取用の磁気ヘッド８４が配置されており、磁気ヘッド８４には、当該磁気ヘッド８４に小切手５を押し付けるための押圧部材８５が対峙している。磁気ヘッド８４と押圧部材８５は、上流側搬送路部分６ａを介して逆の位置関係でもよい。
【００３０】
下流側搬送路部分５ｂにおける第６ローラ対５６の下流側には印刷機構８６が配置されている。印刷機構８６は小切手５に押圧されその表面に印刷する印刷位置と、この印刷位置から後退した待機位置の間を駆動用モータ（図示せず）によって移動可能なスタンプからなっている。下流側搬送路部分５ｂの下流端には、不図示の駆動モータによって切り替え操作される切り替え板８７が配置されている。切り替え板８７は、第１、第２小切手排出部１１、１２に対して、小切手搬送路６の下流端を選択的に切り替え、小切手５を選択された一方の小切手排出部１１、１２に導く。
【００３１】
（開閉カバーおよびローラ付勢機構）
図６は開閉カバー３を取り外した状態の小切手処理装置１を示す概略斜視図であり、図７は取り外した開閉カバー３の内側面を示す斜視図である。図３、４、６および７を参照して説明すると、開閉カバー３には、表面側コンタクトイメージスキャナ８２、第１、第２押えローラ５１ｂ、５２ｂ、第４押えローラ５４ｂが開閉カバー３に搭載されている。磁気ヘッド８４および押圧部材８５は装置本体側に配置されており、磁気ヘッド８４の読み取り位置に小切手５を送り込むための第３ローラ対５３も装置本体側に配置されている。一方、開閉カバー４には、第５、第６押えローラ５５ｂ、５６ｂが搭載されている。
【００３２】
したがって、開閉カバー３を開くと、上流側搬送路部分６ａが開放状態になると共に、表面側コンタクトイメージスキャナ８２および裏面側コンタクトイメージスキャナ８３の読取面８２ａ、８３ａが露出状態になる。また、装置本体側に取り付けられている磁気ヘッド８４が露出状態になる。同様に、開閉カバー４を開くと、下流側搬送路部分６ｂが開放状態になると共に、装置本体側に取り付けられている印刷機構８６が露出状態になる。なお、開閉カバー３には、装置本体側の裏面側コンタクトイメージスキャナ８３に対峙する部位に押えローラ５９ａが配置されており、装置本体側には、開閉カバー３に搭載されている表面側コンタクトイメージスキャナ８２に対峙する部位に押えローラ５９ｂが配置されている。
【００３３】
ここで、小切手処理装置１においては、開閉カバー３を開くと、それに連動して、分離ローラ４４に対するリタードローラ４５の付勢、および第３搬送ローラ５３ａに対する第３押えローラ５３ｂの付勢を、それぞれ解除するローラ付勢機構が備わっている。
【００３４】
図８はリタードローラの付勢しているローラ付勢機構を示す説明図であり、図９は第３押えローラを付勢しているローラ付勢機構を示す説明図である。まず、図６、図７および図８を参照して、リタードローラ４５を付勢しているローラ付勢機構（第１ローラ付勢機構）を説明する。
【００３５】
ローラ付勢機構６０は、本体ケース２の側方ケース部分２３の底面側の部位に水平方向に旋回可能な状態で取り付けられている水平レバー６１と、この水平レバー６１とリタードローラ４５のローラ軸６２の下端部の間に架け渡した引張りコイルばね６３とを備えている。水平レバー６１は、その先端側腕部６１ａが、側方ケース部分２３の端面２３ａにおける下端部分から突出した開放位置６１Ａと、当該先端側腕部６１ａが端面２３ａに押し込まれた押し込み位置６１Ｂとの間を、旋回軸６１ｂを中心として旋回可能である。水平レバー６１の後側腕部６１ｃの端に引張りコイルばね６３の一方の端を掛けるためのばね掛け６１ｄが形成されている。水平レバー６１が押し込み位置６１Ｂに至ると、当該ばね掛け６１ｄとリタードローラ４５のローラ軸６２の間に掛け渡した引張りコイルばね６３は、分離ローラ４４の中心を通る方向に沿って引張り状態になる。
【００３６】
ここで、開閉カバー３の後端面３ｂの側には、その下端部分に、水平レバー６１の先端側腕部６１ａを押し込むための当接板６４が取り付けられている。開閉カバー３を閉じると、図８に想像線で示すように、当接板６４によって水平レバー６１が押し込み位置６１Ｂに押し込まれた状態になる。この結果、リタードローラ４５は所定のばね力によって、分離ローラ４４に押し付けられた状態（付勢状態）になる。開閉カバー３を開くと、引張りコイルばね６３に引張られて水平レバー６１は開放位置６１Ａに戻り、リタードローラ４５に対する引張りコイルばね６３の付勢が解除された状態（付勢解除状態）に切り替わる。
【００３７】
次に、図３、６、７、９を参照して、第３押えローラ５３ｂを第３搬送ローラ５３ａに付勢しているローラ付勢機構（第２ローラ付勢機構）を説明する。このローラ付勢機構７０は、装置本体側に取り付けられている第３押えローラ５３ｂのローラ軸７１を、第３搬送ローラ５３ａに対して接近および離間する方向に僅かにスライド可能な状態で支持して支持部材７２を備えている。この支持部材７２は、上下の端板部分７２ａ、７２ｂと、これらの間を繋ぐ左右の側板部分７２ｃ、７２ｄおよび正面板部分７２ｅを備えた箱型形状のものである。上下の端板部分７２ａ、７２ｂにローラ軸７１の上下の軸端部が回転可能およびスライド可能に支持されている。
【００３８】
支持部材７２の正面板部分７２ｅには前方に突出した円筒状突起７２ｆが形成されている。この内部には、前後方向（ローラ軸７１に接近および離間する方向）にスライド可能な状態で先端が封鎖された円筒状のばね受け７３が水平状態（ローラ軸７１に直交する状態）で支持されている。このばね受け７３と、ローラ軸７１の軸線方向の中央の部位との間に、圧縮コイルばね７４が装着されている。スライド式のばね受け７３は、図９に実線で示すように、その先端が支持部材７２の正面板部分７２ｅから前方に突出した開放位置７３Ａからローラ軸７１の側に押し込まれた押し込み位置７３Ｂに押し込むことが可能である。
【００３９】
開閉カバー３の側には、図７に示すように、当該開閉カバー３を閉じるとばね受け７３の先端面を押し込むことのできる突起７５が形成されている。開閉カバー３を閉じると、突起７５によりばね受け７３が押し込まれて、図９において想像線で示す押し込み位置７３Ｂに至るようになっている。ばね受け７３が押し込み位置７３Ｂまで押し込まれると、圧縮コイルばね７４が圧縮され、第３押えローラ５３ｂが圧縮コイルばね７４のばね力によって第３搬送ローラ５３ａに所定の付勢力で付勢された状態（付勢状態）が形成される。開閉カバー３を開くと突起７５が離れていき、圧縮コイルばね７４によってばね受け７３が前方の開放位置７３Ａに戻り、付勢が解除された状態（付勢解除状態）に切り替わる。
【００４０】
（詰まった小切手の取り除き動作）
このように構成した小切手処理装置１において、小切手５が小切手搬送路６内に詰まった場合には、左右のスライドボタン３３、１４３を操作して、左右の開閉カバー３、４を支軸２６を中心として左右に開ける。開閉カバー３、４のロック機構が解除されると、第１〜第６搬送ローラ５１ａ〜５６ａに押し付けられている第１〜第６押えローラ５１ｂ〜５６ｂの押圧力によって押されて、これらの開閉カバー３、４が開く。これらの開閉カバー３、４が開くと、図３、４に示すように、小切手搬送路６が開放状態になる。このとき、上流側搬送路部分６ａが開放状態になると共に、表面側コンタクトイメージスキャナ８２および裏面側コンタクトイメージスキャナ８３の読取面８２ａ、８３ａが露出状態になる。したがって、小切手搬送路６に詰まっている小切手５を簡単に取り出すことができる。
【００４１】
ここで、開閉カバー３、４を開いても、磁気ヘッド８４に小切手５を送り込むための第３ローラ対５３は開放状態にならない。しかしながら、上記のように、開閉カバー３を開くと、第３押えローラ５３ａを第３搬送ローラ５３ｂに押し付けているローラ付勢機構７０が付勢解除状態に切り替わる。したがって、この第３ローラ対５３の間に小切手５が位置する場合であっても、これらの間から簡単に小切手５を取り除くことができる。
【００４２】
また、第３ローラ対５３および分離ローラ４４とリタードローラ４５は、開閉カバー３には搭載せずに、中央ケース部分２２に配置しておくことにより、それらの位置ずれの発生を回避して小切手５の搬送を常に適切に行うことができる。
【００４３】
また、開閉カバー３、４を開けても開放状態にならない小切手送り出し通路７に配置されているリタードローラ４５を付勢しているローラ付勢機構６０も付勢解除状態に切り替わる。したがって、分離ローラ４４およびリタードローラ４５の間に小切手５が位置している場合であっても、これらの間から簡単に小切手５を取り除くことができる。
【００４４】
なお、磁気ヘッド８４、表面側コンタクトイメージスキャナ８２、裏面側コンタクトイメージスキャナ８３、印刷機構８６のクリーニング、消耗品交換などのメンテナンス作業においても、同様にして開閉カバー３、４を開けてメンテナンス作業を行うことができる。
【００４５】
（その他の実施の形態）
なお、本発明は、小切手や手形、請求書などの小切手類以外のシート状媒体を搬送する媒体搬送装置に対しても同様に適用可能である。また、小切手処理装置以外のプリンタ、スキャナなどの媒体処理装置の媒体搬送装置として用いることができることも勿論である。
【図面の簡単な説明】
【００４６】
【図１】本発明を適用した小切手処理装置の外観斜視図である。
【図２】小切手処理装置の平面図である。
【図３】開閉カバーを開けた状態の小切手処理装置の外観斜視図である。
【図４】開閉カバーを開けた状態の小切手処理装置の平面図である。
【図５】小切手処理装置の内部構造を示す説明図である。
【図６】一方の開閉カバーを外した状態の小切手処理装置の斜視図である。
【図７】小切手処理装置から外した開閉カバーを示す斜視図である。
【図８】リタードローラのローラ付勢機構を示す説明図である。
【図９】第３押えローラのローラ付勢機構を示す説明図である。
【符号の説明】
【００４７】
１  小切手処理装置、２  本体ケース、３，４  開閉カバー、３ａ，４ａ  先端部、３ｂ後端面、５  小切手、５Ａ  磁気インク文字列、５ａ  表面、５ｂ  裏面、６  小切手搬送路、６ａ  上流側搬送路部分、６ｂ  下流側搬送路部分、７  小切手送り出し通路、８  小切手供給部、９，１０  分岐通路、１１  第１小切手排出部、１２  第２小切手排出部、２１  外周側面部分、２２  中央ケース部分、２３，２４  側方ケース部分、２３ａ  前端面、２５  仕切り用ケース部分、２６  支軸、３１，４１  カバー側係合突起、３２，４２  係合突起、３３，１４３  スライドボタン、４１  繰り出しローラ、４２  押し付け部材、４３  分離パッド、４４  分離ローラ、４５  リタードローラ、４６  送り出し用モータ、５１〜５６  第１〜第６ローラ対、５１ａ〜５６ａ  第１〜第６搬送ローラ、５１ｂ〜５６ｂ  第１〜第６押えローラ、５７  搬送用モータ、５８  無端ベルト、６０  ローラ付勢機構、６１  水平レバー、６１Ａ  開放位置、６１Ｂ  押し込み位置、６１ａ  先端側腕部、６１ｂ  旋回軸、６１ｃ  後端側腕部、６１ｄ  ばね掛け、６２  ローラ軸、６３  引張りコイルばね、６４  当接板、７０  ローラ付勢機構、７１  ローラ軸、７２  支持部材、７３  ばね受け、７４  圧縮コイルばね、７５  突起、８１  磁石、８２  表面側コンタクトイメージスキャナ、８３  裏面側コンタクトイメージスキャナ、８４  磁気ヘッド、８５  押圧部材、８６  印刷機構、８７  切り替え板
【図１】
2008207927.tif 000003
【図２】
2008207927.tif 000004
【図３】
2008207927.tif 000005
【図４】
2008207927.tif 000006
【図５】
2008207927.tif 000007
【図６】
2008207927.tif 000008
【図７】
2008207927.tif 000009
【図８】
2008207927.tif 000010
【図９】
2008207927.tif 000011